(57)【要約】【課題】  従来の原稿の置忘れの警告は、原稿の置き忘れを防止する技術としては不十分であった。【解決手段】  原稿の読み取りに先立って、当該原稿の読み取り設定を設定するための第１ＵＩ画面を表示し、その第１ＵＩ画面を使用して設定された読み取り設定に従って原稿台上の前記原稿を読み取る。この原稿の読みとり終了後、当該原稿が前記原稿台から除去されない場合に警告を行い、この警告後、当該原稿が除去されるか、或は予め決められたユーザ操作に応答して、その原稿の画像データに対する処理のための処理用設定を設定するための第２ＵＩ画面を表示し、その第２ＵＩ画面を使用して設定された処理用設定に従ってその画像データを処理する。【選択図】  図１０
2008245148.tif 000002
【特許請求の範囲】
【請求項１】
原稿を読み取って、その原稿の画像データを処理する原稿処理装置であって、
原稿の読み取りに先立って、当該原稿の読み取り設定を設定するための第１ＵＩ画面を表示する第１ＵＩ表示手段と、
前記第１ＵＩ表示手段により表示された前記第１ＵＩ画面を使用して設定された前記読み取り設定に従って原稿台上の前記原稿を読み取る原稿読み取り手段と、
前記原稿読み取り手段による原稿の読み取り終了後、当該原稿が前記原稿台から除去されない場合に警告を行う警告手段と、
前記警告手段による警告後、当該原稿が除去されるか、或は予め決められたユーザ操作に応答して、前記原稿の画像データに対する処理のための処理用設定を設定するための第２ＵＩ画面を表示する第２ＵＩ表示手段と、
前記第２ＵＩ表示手段により表示された前記第２ＵＩ画面を使用して設定された前記処理用設定に従って前記画像データを処理する処理手段と、
を有することを特徴とする原稿処理装置。
【請求項２】
前記処理手段は、前記画像データの送信処理であることを特徴とする請求項１記載の原稿処理装置。
【請求項３】
前記処理手段は、前記画像データの複写処理であることを特徴とする請求項１記載の原稿処理装置。
【請求項４】
前記処理手段は、前記画像データの記憶処理であることを特徴とする請求項１記載の原稿処理装置。
【請求項５】
前記第２ＵＩ画面は、送信処理の宛先ごとにそれぞれ独立して送信設定を行うことができる画面を表示することを特徴とする請求項２に記載の原稿処理装置。
【請求項６】
原稿を読み取って、その原稿の画像データを処理する原稿処理装置の制御方法であって、
原稿の読み取りに先立って、当該原稿の読み取り設定を設定するための第１ＵＩ画面を表示する第１ＵＩ表示工程と、
前記第１ＵＩ表示工程で表示された前記第１ＵＩ画面を使用して設定された前記読み取り設定に従って原稿台上の前記原稿を読み取る原稿読み取り工程と、
前記原稿読み取り工程での原稿の読み取り終了後、当該原稿が前記原稿台から除去されない場合に警告を行う警告工程と、
前記警告工程による警告後、当該原稿が除去されるか、或は予め決められたユーザ操作に応答して、前記原稿の画像データに対する処理のための処理用設定を設定するための第２ＵＩ画面を表示する第２ＵＩ表示工程と、
前記第２ＵＩ表示工程で表示された前記第２ＵＩ画面を使用して設定された前記処理用設定に従って前記画像データを処理する処理工程と、
を有することを特徴とする原稿処理装置の制御方法。
【請求項７】
前記処理工程は、前記画像データの送信処理であることを特徴とする請求項６記載の原稿処理装置の制御方法。
【請求項８】
前記処理工程は、前記画像データの複写処理であることを特徴とする請求項６記載の原稿処理装置の制御方法。
【請求項９】
前記処理工程は、前記画像データの記憶処理であることを特徴とする請求項６記載の原稿処理装置の制御方法。
【請求項１０】
前記第２ＵＩ画面は、送信処理の宛先ごとにそれぞれ独立して送信設定を行うことができる画面を表示することを特徴とする請求項７に記載の原稿処理装置の制御方法。
【発明の詳細な説明】
【技術分野】
【０００１】
本発明は、例えばＭＦＰ等のようにスキャナが搭載された装置で原稿の置き忘れを防止する技術に関するものである。
【背景技術】
【０００２】
近年、スキャナ、プリンタ、ファクシミリ装置及びデータのストレージとしても利用できる多機能処理装置（以下、ＭＦＰ）の需要が高まり、広く流通している。このＭＦＰを利用してユーザは、スキャナの原稿台に載置した原稿のコピーやＦＡＸ送信、その原稿データの送信等の様々な処理を行うことができる。しかし、ＭＦＰを使用した、このような処理の終了後に、ユーザが、その原稿台に置いた原稿を置き忘れてしまうという問題があった。特にコピー動作を実行した場合は、コピーした結果の印刷物をソータから取り出した時点で元の原稿の存在を取り忘れてしまい、その原稿を原稿台に置いたたままにする場合が多い。
【０００３】
この問題を解決するために特許文献１では、コピー動作時に原稿のスキャンを行った後、その原稿が取り出されたか否かを判定し、その原稿が取り出されるまでコピー動作を開始しないことが提案されている。
【特許文献１】特開２０００−３５２９１６号公報
【発明の開示】
【発明が解決しようとする課題】
【０００４】
しかしながら、ＭＦＰにおいて、原稿台に原稿を置いて読み取らせる処理はコピー動作に限らない。例えばスキャナで原稿を読み取ってファクシミリ送信や原稿データとして送信する処理を実行した場合には、コピー動作と違って、印刷した紙を出力するという動作が発生しない。従って、このような原稿の送信処理では、ユーザにとって、読み取った原稿の送信が開始されたかどうかは判別しにくい。このため、例え読み取った原稿が取り出されるまで、その原稿画像の送信を開始しないようにしても、ユーザに対して明瞭に注意を喚起するものであるとは言い難い。よって、原稿の置き忘れを防止する技術としては不十分であった。
【０００５】
また、現状の送信処理は、宛先及び読み込みに関する設定を行った後に原稿のスキャンを行って送信する構成になっている。このため複数の宛先に対して同一の画像データを送ることしかできなかった。このため、宛先に応じて、例えば送信ページを変更するように、宛先ごとに送信対象の画像データを変更できるような動的な設定を行えなかった。
【０００６】
本発明の目的は上記従来技術の問題点を解決することにある。
【０００７】
本願発明の特徴は、原稿の読み取り終了後に次の処理に移行する場合における原稿の置き忘れを防ぐことにある。
【課題を解決するための手段】
【０００８】
上記目的を達成するために本発明の一態様に係る原稿処理装置は以下のような構成を備える。即ち、
原稿を読み取って、その原稿の画像データを処理する原稿処理装置であって、
原稿の読み取りに先立って、当該原稿の読み取り設定を設定するための第１ＵＩ画面を表示する第１ＵＩ表示手段と、
前記第１ＵＩ表示手段により表示された前記第１ＵＩ画面を使用して設定された前記読み取り設定に従って原稿台上の前記原稿を読み取る原稿読み取り手段と、
前記原稿読み取り手段による原稿の読みとり終了後、当該原稿が前記原稿台から除去されない場合に警告を行う警告手段と、
前記警告手段による警告後、当該原稿が除去されるか、或は予め決められたユーザ操作に応答して、前記原稿の画像データに対する処理のための処理用設定を設定するための第２ＵＩ画面を表示する第２ＵＩ表示手段と、
前記第２ＵＩ表示手段により表示された前記第２ＵＩ画面を使用して設定された前記処理用設定に従って前記画像データを処理する処理手段と、
を有することを特徴とする。
【０００９】
上記目的を達成するために本発明の一態様に係る原稿処理装置の制御方法は以下のような工程を備える。即ち、
原稿を読み取って、その原稿の画像データを処理する原稿処理装置の制御方法であって、
原稿の読み取りに先立って、当該原稿の読み取り設定を設定するための第１ＵＩ画面を表示する第１ＵＩ表示工程と、
前記第１ＵＩ表示工程で表示された前記第１ＵＩ画面を使用して設定された前記読み取り設定に従って原稿台上の前記原稿を読み取る原稿読み取り工程と、
前記原稿読み取り工程での原稿の読みとり終了後、当該原稿が前記原稿台から除去されない場合に警告を行う警告工程と、
前記警告工程による警告後、当該原稿が除去されるか、或は予め決められたユーザ操作に応答して、前記原稿の画像データに対する処理のための処理用設定を設定するための第２ＵＩ画面を表示する第２ＵＩ表示工程と、
前記第２ＵＩ表示工程で表示された前記第２ＵＩ画面を使用して設定された前記処理用設定に従って前記画像データを処理する処理工程と、
を有することを特徴とする。
【発明の効果】
【００１０】
本発明によれば、原稿の読み取り終了後に次の処理に移行する場合における原稿の置き忘れを防ぐことが可能となる。
【００１１】
またＵＩ画面の表示を、原稿の読み取り前と、読み取り後の２段階に分けることにより従来の原稿処理に比べて各種設定の自由度を高めることが可能となる。
【発明を実施するための最良の形態】
【００１２】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１３】
図１は、本発明の実施の形態に係るカラーＭＦＰ（原稿処理装置）の概略構成を示す図である。
【００１４】
画像読み取り部１０１は、オートドキュメントフィーダ（ＡＤＦ）から搬送される原稿、或は原稿台に置かれた原稿を光源（不図示）で照射し、その原稿からの反射像をレンズで固定撮像素子上に結像する。そして、この固定撮像素子から出力されるラスタ状の画像読み取り信号をイメージ情報（画像データ）として得る。通常の複写機能では、データ処理部１０５が、このイメージ情報を画像処理して記録データに変換し、その記録データを記録部１０３に順次出力して紙（記録媒体）上に画像を印刷して複写物を得ている。このカラーＭＦＰへの操作者からの指示は、キー操作部である入力部１０６から行われる。これら一連の動作はデータ処理部１０５のＣＰＵ１１０で制御される。データ処理部１０５は、マイクロコンピュータ等のＣＰＵ１１０、このＣＰＵ１１０により実行されるプログラム等を記憶するＲＯＭ１１１を有している。尚、ＣＰＵ１１０による制御処理時に使用されるワークエリアには、記憶部１０２のＲＡＭエリアが使用される。
【００１５】
一方、操作入力の状態の表示及び処理中の画像データの表示は表示部１０４に表示される。また記憶部１０２は、画像読み取り部１０１で読み取った画像データ等を保存可能な領域を提供している。ネットワークＩ／Ｆ１０７は、ネットワークと接続するためのインターフェースである。これにより、ネットワークを介してＰＣ等から画像データを受け取り、データ処理部１０５で処理して記録部１０３で印刷することができる。また画像読み取り部１０１で読み取り、データ処理部１０５で画像処理した画像データをネットワークを介してＰＣ等に送信することもできる。本実施の形態では、この送信処理におけるＵＩ表示及びフローについて詳しく説明する。
【００１６】
従来は、ユーザが原稿台に原稿を置くと、カラーＭＦＰは表示部にＵＩを表示し、ユーザが、このＵＩを利用して宛先の入力、ページ設定や送信設定を行っていた。その後、コピーボタンを押すことによって原稿がスキャンされ、スキャンが終了すると自動的もしくは手動で何らかのボタンを押すことによって、その原稿画像の送信処理が実行されていた。
【００１７】
これに対して本実施の形態では、送信処理時のＵＩにおいて、原稿のスキャンに先立って設定しなければならない読み取り設定用項目と、原稿のスキャン後に設定してもよい処理用の設定項目の２種類に分類している。このように従来はスキャン前に一括で行われた送信等の処理のための各種設定を２段階に分けることが本実施の形態の特徴である。
【００１８】
［実施の形態１］
図２は、本実施の形態１に係るＭＦＰにおけるユーザ操作とＭＦＰの処理の流れを説明するフローチャートである。
【００１９】
まずステップＳ１で、ユーザが原稿読み取り部１０１に、読み取り対象の原稿をセットする。次にステップＳ２で、原稿のスキャン前に行わなければならない項目のＵＩ画面を表示部１０４に表示する。
【００２０】
図３は、図２のステップＳ２で表示部１０４に表示されるＵＩ画面（第１ＵＩ画面）の一例を示す図である。
【００２１】
ここでは送信機能において、解像度、色設定、原稿サイズなどの、原稿のスキャン前に設定しなければならない、原稿の読み取り用の設定項目が表示されている。
【００２２】
次にステップＳ３で、ユーザが、その表示されたＵＩに従って、原稿のスキャン前に行わなければならない項目を設定する。次にステップＳ４に進み、スタートボタンなどにより読み取り開始が指示されると、画像読み取り部１０１による原稿のスキャンが実行される。
【００２３】
こうして原稿の読み取りが終了するとステップＳ５に進み、その読み取った原稿を、画像読み取り部１０１の原稿台から除去するようにユーザに警告するＵＩ（警告表示）を表示部１０４に表示する。
【００２４】
図４は、実施の形態１に係るユーザに警告するＵＩ画面例を示す図である。
【００２５】
ここでは、原稿のスキャンが終了したので、原稿台上の原稿を取り出すように警告している。そして、この原稿を取り出さない限り、次の処理に進まないことが示されている。尚、このＵＩにおけるメッセージの文言はこれに限定されないが、上述の趣旨が伝わるものであれば良い。
【００２６】
次にステップＳ６で、原稿が原稿台上から取り除かれた否かを判定し、取り除いていない場合は原稿を取り除くよう警告したＵＩを表示し続ける。こうして原稿が取り除かれた場合はステップＳ７に進み、原稿のスキャン後に設定する項目のＵＩ画面（第２ＵＩ画面）を表示する。そして次にステップＳ８に進み、原稿のスキャン後に設定する処理用の項目を設定するＵＩを表示する。
【００２７】
図５は、本実施の形態に係る原稿のスキャン後に設定する項目のＵＩ画面の表示例を示す図である。
【００２８】
ここでは宛先や、電子メール、ファイル、ＦＡＸなどの送信時の設定など、原稿のスキャンの条件に関係がない項目を表示している。
【００２９】
そしてステップＳ８で、ユーザが、ステップＳ７で表示されたＵＩ画面を使用して、各項目を設定する。そしてスタートボタンが指示されることにより、ステップＳ９で、その原稿の画像データを送信する。
【００３０】
ここで「スキャン前に行わなければならない項目」、「スキャン後に行ってもよい項目」の基準はデバイスによって変動するため、本実施の形態１の項目には限定されない。
【００３１】
図１０は、本実施の形態１に係るＭＦＰのデータ処理部１０５により実行される制御処理を説明するフローチャートである。この処理を実行するプログラムはＲＯＭ１１１に記憶されており、ＣＰＵ１１０の制御の下に実行される。このフローチャートは、図２のフローチャートを実行する際のＣＰＵ１１０の処理を説明したものである。
【００３２】
この処理は、このＭＦＰにおいて送信機能が選択されることにより開始される。まずステップＳ２１で、画像読み取り部１０１の原稿台に原稿が載置されたことを検知するとステップＳ２２に進み、その原稿を読み取るスキャンに必要な項目を設定するためのＵＩ画面を表示する（図３参照）。ステップＳ２３では、このＵＩ画面を使用して入力部１０６から入力された情報に基づいて、対応する設定項目の内容を更新して記憶部１０２に記憶する。ステップＳ２４では、この項目の設定処理の完了が指示されたかを判断し、そうでないときはステップＳ２２に戻り、前述の処理を実行する。そして完了（読み取りスタート等）が指示されるとステップＳ２５に進み、原稿台上にセットされている原稿をスキャンして読み取る。
【００３３】
こうして原稿の読み取りが終了し、画像処理を行って得られた画像データを記憶部１０２に記憶するとステップＳ２６に進み、表示部１０４に、例えば前述の図４に示すようなメッセージを表示する。次にステップＳ２７で、画像読み取り部１０１の原稿台上の原稿が取り除かれたかどうかをみる。取り除かれまではこの警告メッセージを表示し続け、取り除かれるとステップＳ２８に進み、その画像データを送信するための送信用の項目（処理用設定）を設定するためのＵＩ画面を表示部１０４に表示する（図５参照）。次にステップＳ２９に進み、ステップＳ２３と同様に、このＵＩ画面を使用して入力部１０６から入力された情報に基づいて、対応する送信用の設定項目の内容を更新して記憶部１０２に記憶する。ステップＳ３０では、「送信ボタン」５００により送信開始が指示されたかを調べる。「送信ボタン」５００が指示されるまではステップＳ２８に戻るが、「送信ボタン」５００が指示されるとステップＳ３１に進み、記憶部１０２に記憶している、その原稿の画像データをステップＳ２９で設定された設定内容に従って送信する。
【００３４】
尚、本実施の形態１では、原稿を送信する場合の設定について説明したが、例えば通常のコピー処理（複写処理）や、原稿をスキャンした後にＭＦＰが保有するハードディスクに、その原稿の画像データを保存する処理（記憶処理）にも適用できる。
【００３５】
また本実施の形態１では、カラーＭＦＰを例にして説明したが、これ以外にもスキャナが搭載されたデバイスであれば、どのような機器にも適用できる。
【００３６】
［実施の形態２］
前述の実施の形態１は、従来の送信時のＵＩを、原稿のスキャン前と、スキャン後で送信前の２段階に分けることでユーザの原稿の置き忘れを防止する処理を説明した。
【００３７】
これに対して本実施の形態２では、原稿のスキャン後で、送信前のＵＩ画面を２段階に分けることで、より自由度が高い送信設定を可能にする例を説明する。この実施の形態２では、複数の宛先に送信する場合、各宛先ごとに、それぞれ独立に送信設定を行うことができる。例えば５枚の原稿をスキャンした場合、宛先Ａには初めのページから３枚目のページまでを、宛先Ｂには５枚全てを送信するように設定することができる。
【００３８】
尚、この実施の形態２に係るＭＦＰのハードウェア構成は、前述の実施の形態１に係るＭＦＰ（図１）と同じであるため、その構成の説明を省略する。
【００３９】
図６及び図７は、本実施の形態２に係るＵＩ画面例を示す図である。ここでは、原稿５枚を読み取り、宛先ＡとＢに、その原稿データを同時に送信する例を示している。
【００４０】
図６では、６０１で宛先Ａを選択している。６０２は、その原稿の送信データをＪＰＥＧデータに設定している。そして６０３では、５枚の原稿のうち、１枚目から３枚目までを宛先Ａに送信するように指定している。
【００４１】
図７では、７０１で宛先Ｂを選択している。７０２は、その原稿の送信データをＰＤＦデータに設定している。そして７０３では、５枚の原稿の全てを宛先Ｂに送信するように指定している。宛先Ｂを送信の対象としている。
【００４２】
この実施の形態２では、読み取った原稿の画像データを送信する場合、各宛先ごとに、それぞれ異なる送信用設定を設定することができる。
【００４３】
図１１は、この実施の形態２に係る処理を説明するフローチャートである。ここでは図１０のステップＳ２９を実施の形態２に合わせて変更している。
【００４４】
ステップＳ４１で、ＵＩ画面で選択されている宛先を取得する。例えば図６の例では、その宛先は「Ａ」となる。次にステップＳ４２で、例えば図６に示すように、その選択された宛先（Ａ）に対して設定されている各設定項目の内容を表示する。次にステップＳ４３で、そのＵＩを利用して入力される内容を受付け、それに応じてその設定内容を更新して記憶部１０２に記憶する。次にステップＳ４４では、「送信ボタン」６０４が指示されたかどうかを判定し、送信開始が指示されないときはステップＳ４１に戻る。「送信ボタン」６０４が指示されて送信開始が指示されると、この処理を終了する。尚、ステップＳ４１では、宛先が「Ｂ」変更されると、例えば図７のように、その選択された宛先（Ｂ）に対して設定されている各設定項目の内容を表示する。そして、今度はその宛先「Ｂ」に対する項目の設定及び更新が行われる。
【００４５】
以上説明したように本実施の形態２によれば、各宛先のそれぞれに独立に送信項目を設定することができる。
【００４６】
尚、送信設定の組み合わせは図６、図７に示す組み合わせに限らず、各宛先ごとに設定できる事項であれば良い。
【００４７】
［実施の形態３］
本発明の実施の形態３では、例えば同じ原稿をそれぞれ異なる設定でスキャンして、それぞれ別々の宛先に送信、或は記憶したい場合のように、原稿のスキャンが終了した後、その原稿を取り出したくない場合の処理の流れについて説明する。
【００４８】
尚、この実施の形態３に係るＭＦＰのハードウェア構成は、前述の実施の形態１に係るＭＦＰ（図１）と同じであるため、その構成の説明を省略する。
【００４９】
図８は、本実施の形態３に係るＭＦＰにおけるユーザの操作とＭＦＰの処理の流れを説明するフローチャートである。尚、このフローチャートにおいて、前述の実施の形態１に係るフローチャートと同じステップには同じ番号を付して、その説明を省略する。
【００５０】
この実施の形態３では、ステップＳ５で、原稿を取り除くよう警告したメッセージを表示した後、ステップＳ１０で「実行ボタン」９００（図９）を指示すると、その原稿が原稿台に載置されたままでステップＳ７の処理に進む点が異なっている。
【００５１】
図９は、本実施の形態３において、図８のステップＳ５で表示部１０４に表示されるＵＩの一例を示す図である。
【００５２】
図９では、前述の図４と異なり、画面の右下に「実行ボタン」９００が表示されている。
【００５３】
ユーザが、この「実行ボタン」９００を指示することにより図８のステップＳ７に進み、画像読み取り部の原稿台に載置されている原稿を取り除くことなく、送信設定を行うことができる。
【００５４】
図１２は、本実施の形態３に係る処理を説明するフローチャートである。ここでは図１０のステップＳ２６とステップＳ２８との間にステップＳ２７，ステップＳ５１を挿入して説明している。他のステップの処理は図１０と同じであるため、ここではその説明を略している。
【００５５】
ステップＳ２６で、図９に示すメッセージを表示部１０４に表示した後、ステップＳ２７で、画像読み取り部１０１の原稿台から原稿が取り除かれたかどうかを判定する。原稿が取り除かれるとステップＳ２８に進むが、そうでないときはステップＳ５１に進み、図９の「実行ボタン」９００が指示されたかをみる。指示されないときはステップＳ２６に戻るが、指示されるとステップＳ２１に進み、その原稿を読み取るための項目設定用のＵＩを表示する。こうして前回とは異なるスキャンの設定で、その原稿を読み取って記憶部１０２に記憶することができる。
【００５６】
ここで更に前述の実施の形態２と組み合わせることにより、各宛先ごとに異なるスキャンの設定項目で原稿を読み取って、送信することができるようになる。
【００５７】
（他の実施形態）
以上、本発明の実施形態について詳述したが、本発明は、複数の機器から構成されるシステムに適用しても良いし、また一つの機器からなる装置に適用しても良い。
【００５８】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００５９】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００６０】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６１】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６２】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００６３】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００６４】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００６５】
【図１】本発明の実施の形態に係るカラーＭＦＰ（カラー画像形成装置）の概略構成を示す図である。
【図２】本実施の形態１に係るＭＦＰにおけるユーザの操作とＭＦＰの処理の流れを説明するフローチャートである。
【図３】図２のステップＳ２で表示部に表示されるＵＩの一例を示す図である。
【図４】実施の形態に係るユーザに警告するＵＩ画面例を示す図である。
【図５】本実施の形態に係る原稿のスキャン後に設定する項目のＵＩの表示例を示す図である。
【図６】本実施の形態２に係るＵＩ画面例を示す図である。
【図７】本実施の形態２に係るＵＩ画面例を示す図である。
【図８】本実施の形態３に係るＭＦＰにおけるユーザの操作とＭＦＰの処理の流れを説明するフローチャートである。
【図９】本実施の形態３において、図８のステップＳ５で表示部に表示されるＵＩの一例を示す図である。
【図１０】本実施の形態１に係るＭＦＰのデータ処理部により実行される制御処理を説明するフローチャートである。
【図１１】実施の形態２に係る処理を説明するフローチャートである。
【図１２】本実施の形態３に係る処理を説明するフローチャートである。
【図１】
2008245148.tif 000003
【図２】
2008245148.tif 000004
【図３】
2008245148.tif 000005
【図４】
2008245148.tif 000006
【図５】
2008245148.tif 000007
【図６】
2008245148.tif 000008
【図７】
2008245148.tif 000009
【図８】
2008245148.tif 000010
【図９】
2008245148.tif 000011
【図１０】
2008245148.tif 000012
【図１１】
2008245148.tif 000013
【図１２】
2008245148.tif 000014